(57)【特許請求の範囲】
【請求項１】
医療用糸において、
前記医療用糸の中心軸となる本体部と、
前記本体部の両側面から拡張して形成される複数の突起部と、
を含み、
前記複数の突起部は、
一方向に形成された第１の突起部により構成された第１の突起セットと、前記第１の突起部とは逆方向に形成され、前記第１の突起セットと離隔した第２の突起部により構成された第２の突起セットと、前記第１及び第２の突起セットを挟んで前記本体部の両側に形成される第１−１の突起部及び第２−１の突起部と、を含み、
前記第１の突起セットと隣接した方面に形成される前記第１−１の突起部は前記第１の突起部とは逆方向に形成され、前記第２の突起セットと隣接した方面に形成される前記第２−１の突起部は前記第２の突起部とは逆方向に形成され、
前記第１−１の突起部から前記本体部の一端までと前記第２−１の突起部から前記本体部の他端までは突起がないように構成され、
前記第１−１の突起部及び前記第２−１の突起部のうち一方は、幅、形状、厚さのうち少なくとも１つにおいて、第１−１の突起部及び第２−１の突起部を除く残りの突起部とは異なるように形成される、医療用糸。
【請求項２】
前記糸を製作する原糸は可塑性樹脂であり、前記医療用糸の製作に使用される超音波の周波数は２〜４ｋＨｚであり、超音波発生部と陰刻パターンが形成された金型ベースとの間に原糸を挿入し、圧搾することで製作される、請求項１に記載の医療用糸。
【請求項３】
前記第１−１の突起部は、前記第１の突起セットの突起部よりも大きい幅を有するように形成される、請求項１に記載の医療用糸。
【請求項４】
前記第１の突起部の幅は、前記医療用糸を挿入するための保管容器の挿入口の幅と対応する長さに形成される、請求項１に記載の医療用糸。
【請求項５】
第１の突起セット及び第２の突起セットの突起部は、最も長い斜辺が互いに対向する方向に形成される、請求項１に記載の医療用糸。
【請求項６】
前記本体部の長さ方向が横方向であり、前記本体部の幅方向が縦方向であるとき、
前記突起部の横断面又は縦断面は長方形である、請求項１に記載の医療用糸。
【請求項７】
前記突起部の頂部は、所定の厚さを有するように形成される、請求項１に記載の医療用糸。
【請求項８】
医療用糸において、
前記医療用糸の中心軸となる本体部と、
前記本体部の両側面から拡張して形成される複数の突起部と、
を含み、
前記突起部の幅方向縦断面が半円形であり、
前記複数の突起部は、
一方向に形成された第１の突起部により構成された第１の突起セットと、前記第１の突起部とは逆方向に形成され、前記第１の突起セットと離隔した第２の突起部により構成された第２の突起セットと、前記第１及び第２の突起セットを挟んで前記本体部の両側に形成される第１−１の突起部及び第２−１の突起部と、を含み、
前記第１の突起セットと隣接した方面に形成される前記第１−１の突起部は前記第１の突起部とは逆方向に形成され、前記第２の突起セットと隣接した方面に形成される前記第２−１の突起部は前記第２の突起部とは逆方向に形成され、
前記第１−１の突起部から前記本体部の一端までと前記第２−１の突起部から前記本体部の他端までは突起がないように構成され、
前記第１−１の突起部及び前記第２−１の突起部のうち一方は、幅、形状、厚さのうち少なくとも１つにおいて、第１−１の突起部及び第２−１の突起部を除く残りの突起部とは異なるように形成される、医療用糸。
【請求項９】
前記複数の突起部は、前記本体部に隣接した部分の厚さが最も厚く形成され、前記本体部から離隔するほど薄い厚さを有する、請求項８に記載の医療用糸。
【請求項１０】
前記複数の突起部の最も長い斜辺部分は屈曲した形状に構成され、突起の頂部が突起の形成方向に曲げられた形状を有する、請求項８に記載の医療用糸。
【発明の詳細な説明】
【技術分野】
【０００１】
本発明は、超音波により製作された医療用３次元糸に関し、さらに詳しくは、美容用及び医療用として使用される縫合糸について超音波を用いて製作することにより、精巧な形態を有し、用途に合わせて様々な形態を有するようにする医療用３次元糸に関する。
【背景技術】
【０００２】
従来は、医療用糸を外科で縫合用途で主に使用しており、刃を使用することなく、針と糸にて顔、顎、首、腹部、膣、胸、尻などの垂れた肌及び組織を引き上げ、シワを伸ばす技術であって、肌を過多に切開する必要がなく、傷跡の発生を最小化することができ、手術による出血や浮腫みが少ないので、脚光を浴びている。
【０００３】
素材としては天然素材及び合成素材が使用されることができ、天然素材の吸水性医療用糸の素材は、腸線（ｃａｔｇｕｔ）、クロミック（ｃｈｒｏｍｉｃ）、ガット（ｇｕｔ）などが使用されており、合成素材の吸水性医療用糸の素材は、ポリグリコール酸（デキソン、マクソン）、ポリグラクチン（バイクリル）、及びポリジオキサノン（ＰＤＳ）が使用されている。天然素材の非吸水性医療用糸の素材は、絹糸（ｓｉｌｋ）が使用されており、合成素材の非吸水性医療用糸の素材は、ポリエステル（ダクロン）、ポリプロピレン（プロリン）、ポリアミド（ナイロン）、及びｅ−ＰＴＦＥ（ゴアテックス）などが使用されている。
【０００４】
従来は、医療用糸の表面に突起を形成して使用していたが、既存の製造方法は、熱成形又は圧搾により成形を行っており、これにより糸の表面にばらつきがあるか、微細な形状の成形が制限され、突起の周りに毛羽が生じるなどといった問題点があり、ＰＤＯ（Ｐｏｌｙｄｉｏｘａｎｅ）材質の特性上、熱成形の際に変形が生じ、強度が弱くなるという問題点が発生した。
【発明の概要】
【発明が解決しようとする課題】
【０００５】
本発明は、上述した問題点を解決するためのものであり、超音波により製作された医療用３次元糸に関する。
【０００６】
本発明は、超音波発生器を使用して製作する医療用３次元糸であって、従来の医療用糸（縫合糸）よりも精巧な形態に変成が可能であり、物理的強度を低下させる要因を解消し、小数点第二位まで突起（あご）の厚さや長さを精密に調整して製造した医療用糸（縫合糸）を提供することにその目的がある。
【課題を解決するための手段】
【０００７】
上述した技術的課題を解決するための手段として、本発明の第１の実施例に係る超音波により製作された医療用３次元糸において、前記３次元糸の中心軸となり、厚さが０．２ｍｍ乃至０．６ｍｍである本体部と、前記本体部の両側面から拡張して形成される複数の突起部と、を含み、前記複数の突起部の突起は、前記本体部を基準に突出した幅は０．０５ｍｍ乃至０．５ｍｍであり、最も厚い部分の厚さは０．１ｍｍ乃至０．６ｍｍであり、前記本体部が延びた方向への長さは１．０〜１．４ｍｍで構成され得る。
【０００８】
また、本発明の第２の実施例に係る医療用糸は、長手方向に下面の真ん中が窪んで形成されたトレンチ（ｔｒｅｎｃｈ）を備えるボディ部と、トレンチの両側に突出して形成された複数の突起部と、を含む。
【０００９】
本発明の第３の実施例に係る医療用糸は、一方向に延びたボディ部と、ボディ部の一端に備えられ、ボディ部の幅よりも広い幅を有するように形成された引掛り部材と、ボディ部の少なくとも１つの面から突出して形成された複数の突起部と、を含む。
【発明の効果】
【００１０】
本発明の第１の実施例は、超音波により製作された様々な形態の医療用３次元糸を提供するにおいて、引張力と維持力の高い医療用３次元糸にて高い満足度を期待することができる。
【００１１】
従来の医療用糸に比べて２倍程の突起を有するように製造することができ、超音波を用いた方式で原糸に傷をつけたり結び目を加えることなく、物理的強度が低下する要因を解決することができる。
【００１２】
これにより、リフティング施術においてより効果的な効能を期待することができ、従来の製品よりも堅固に固定及び維持することが可能となる。
【００１３】
従来の熱と金型の圧力で切り取っていた方式に比べて、超音波振動を物質に加え、その粒子を超音波金型の枠に入れて、コグ状及び様々な３次元立体形状を作ることができる。
【００１４】
従来の糸は、熱を与え、熱を与えた糸は平たくローラで押圧し、平たくなった糸を金型で圧力をかけて金型の形で切り取る方式であり、糸に熱を与えると物質は体積と密度が膨張して原料の物性が約３０％程弱くなり、熱が与えられて膨張した平たい糸をコグ状の金型で押圧して切り取れば、コグの先端部に毛羽が生じ、コグの先端の尖った部分の具現が難しいが、超音波振動で加工する方法は、糸をコグ状の金型に入れ、超音波振動により短時間で熱や人為的な刺激を最小化するので、糸の原料の変成が殆どなく、強度と物性の既存の能力を維持することができる。
【００１５】
本発明の第２の実施例は、長手方向に対してトレンチを備え、肌との接触面積を増加させることで肌との固定力を向上させることができ、これにより、医療用糸が埋め込まれた初期位置から離脱することを防止することができる。例えば、額のシワ改善などのために医療用糸を挿入した場合、患者が施術後に顔をしかめるなどの表情をすると医療用糸が初期位置から離脱することがあり得るが、本発明のようなトレンチ（トンネル）構造と突起状で構成される場合、離脱することを効果的に防止することができる。
【００１６】
特に、複数の突起部の間が離隔して別途の空間が形成される場合、肌に対する固定力をより向上させることができる。さらに、トレンチ部分には、フィラーが引き込まれることのできる空間が形成されることもあり得る。
【００１７】
また、本発明のような３次元形状の糸は、超音波加工を通じてのみ製作が可能である。従来技術の場合、原糸を押圧して圧縮した後、金型にプレスすることで生産するか、原糸をカットして突起を生成するため、本発明のような精巧な３次元トレンチ構造を製作することはできない。
【００１８】
本発明の一実施例に係る医療用糸は、組織（ｅｘ．肌、筋肉、身体の臓器など）の縫合糸用としても活用されることができ、縫合糸用で活用される際、既存の縫合糸よりも結び目を作る部分において遥かに便利さと効率性を高めることができる。
【図面の簡単な説明】
【００１９】
【図１】本発明の第１の実施例に係る医療用３次元糸の斜視図である。
【図２】本発明の第１の実施例に係る医療用３次元糸の斜視図である。
【図３】本発明の第１の実施例に係る医療用３次元糸の縦断面図である。
【図４】本発明の第１の実施例に係る医療用３次元糸の幅、厚さ、長さを説明するための斜視図である。
【図５】本発明の第１の実施例に係る医療用３次元糸の側面図である。
【図６】本発明の第１の実施例に係る様々な形態の３次元糸に関する斜視図である。
【図７】本発明の第１の実施例に係る様々な形態の３次元糸に関する斜視図である。
【図８】本発明の第１の実施例に係る様々な形態の３次元糸に関する斜視図である。
【図９ａ】本発明の第１の実施例に係る様々な形態の３次元糸に関する斜視図である。
【図９ｂ】本発明の第１の実施例に係る様々な形態の３次元糸に関する斜視図である。
【図９ｃ】本発明の第１の実施例に係る様々な形態の３次元糸に関する斜視図である。
【図９ｄ】本発明の第１の実施例に係る様々な形態の３次元糸に関する斜視図である。
【図１０】本発明の第１の実施例に係る３次元糸の様々な形態に関する斜視図である。
【図１１】本発明の第１の実施例に係る３次元糸の様々な形態に関する斜視図である。
【図１２】本発明の第１の実施例に係る３次元糸の様々な形態に関する斜視図である。
【図１３】本発明の第１の実施例に係る３次元糸の様々な形態に関する斜視図である。
【図１４】本発明の第１の実施例に係る３次元糸の様々な形態に関する斜視図である。
【図１５】従来の医療用糸が通されたニードルを示す図である。
【図１６】本発明の第２乃至第３の実施例に係る引掛り部材（ヘッド部）を備えた医療用糸の側面図、平面図、及び正面図を示す。
【図１７】本発明の第２の実施例に対する追加の実施例に係る引掛り部材（ヘッド部）を備えた医療用糸の平面図を示す。
【図１８】図１６に示す第２乃至第３の実施例に係る引掛り部材（ヘッド部）を備えた医療用糸のボディ部と突起部を説明するための拡大図である。
【図１９】従来の金型により製造された医療用糸を示す図である。
【図２０】従来のカットにより製造された医療用糸を示す図である。
【図２１】本発明の第３の実施例に係る 引掛り部材（ヘッド部）の様々な形状を説明するための部分拡大図である。
【図２２】本発明の第３の実施例に係る 引掛り部材（ヘッド部）の様々な形状を説明するための部分拡大図である。
【図２３】本発明の第３の実施例に係る 引掛り部材（ヘッド部）の様々な形状を説明するための部分拡大図である。
【発明を実施するための形態】
【００２０】
本発明は、多様な変更を加えることができ、様々な形態を有し得るので、具現例（あるいは実施例）を本文に詳細に説明することとする。しかし、これは本発明を特定の開示形態に限定するものではなく、本発明の思想及び技術範囲に含まれる全ての変更、均等物乃至代替物を含むものと理解されなければならない。
【００２１】
明細書全体において、ある部分が他の部分と「連結」されているという場合、これは「直接的に連結」されている場合だけでなく、その中間に他の素子を挟んで「電気的に連結」されている場合も含む。また、ある部分がある構成要素を「含む」という場合、これは、特に反対の記載がない限り、他の構成要素を除くのではなく、他の構成要素をさらに含み得ることを意味する。
【００２２】
また、各図面における構成要素は、理解の便宜性などを考慮し、大きさや厚さを誇張して大きく（又は厚く）或いは小さく（又は薄く）表現したり、単純化して表現しているが、これによって本発明の保護範囲が制限的に解釈されてはならない。
【００２３】
また、各図面において表現された構成要素の形状や形態は、本発明の実施例を説明するためのものであり、これに限定されてはならない。
【００２４】
本明細書において使用された用語は、単に特定の具現例（又は実施例）を説明するために使用されただけであり、本発明を限定する意図のものではない。単数の表現は、文脈上明白に違うことを意味しない限り、複数の表現をも含む。本願において、〜含む〜又は〜からなる〜などの用語は、明細書上に記載された特徴、数字、ステップ、動作、構成要素、部分品、又はこれらを組み合わせたものが存在することを指定するためのものであり、１つ或いはそれ以上の他の特徴や数字、ステップ、動作、構成要素、部分品、又はこれらを組み合わせたものの存在又は付加可能性を予め排除するものではないと理解されなければならない。
【００２５】
違うように定義されない限り、技術的又は科学的な用語を含め、ここで使用される全ての用語は、本発明の属する技術分野において通常の知識を有する者にとって一般的に理解されるものと同じ意味を有している。一般的に使用される辞書に定義されているような用語は、関連技術の文脈上有する意味と一致する意味を有すると解釈されなければならず、本願において明白に定義しない限り、理想的又は過剰に形式的な意味に解釈されるものではない。
【００２６】
さらに、本発明は、第１の実施例乃至第３の実施例に区分して具体的に説明する。
【００２７】
以下、図１乃至図２を参照しながら、本発明の第１の実施例に係る超音波により製作された医療用３次元糸について具体的に説明する。
【００２８】
本発明の第１の実施例に係る超音波により製作された医療用３次元糸は、本体部１００と、本体部の両側面から延びて形成される第１の突起セット２１０及び第２の突起セット２２０と、により構成され得る。
【００２９】
医療用３次元糸を製作するための原糸は可塑性樹脂であり、超音波を用いて製作するのに通常使用されるＰＤＯ（Ｐｏｌｙｄｉｏｘａｎｅ）材質の場合、１０６℃の温度が融点で、当該温度に到逹すれば変形が起こったり、引張力と維持力の損失が生じ得る。
【００３０】
製作時に使用される超音波は２〜４ｋＨｚ以下の周波数であって、原糸の融点よりも低温の熱を生じさせ、好ましくは、２．５ｋＨｚの周波数を使用して変形可能な程度の熱のみを生じさせることができる。
【００３１】
互いに隣接した位置に配置された超音波発生部と金型ベースとの間において、金型ベースの陰刻パターンと対応する位置に原糸を挿入し、超音波発生部を介して原糸を加圧しながら原糸に超音波を与え、超音波により陰刻パターンの形状通りに生成された３次元糸を射出することができる。
【００３２】
３次元糸は、両側に対向する複数の突起（あご）を有するように形成され得る。
【００３３】
超音波発生部は、３次元糸製造装置において上端に形成され、地面に固定された金型ベースと離隔して位置し得る。
【００３４】
このとき、超音波発生部と金型ベースとは、平板状に構成され、中心軸を共有するように配置され得る。即ち、同じ中心軸を有し、一方向に並んで配置され得る。
【００３５】
原糸が挿入されると、超音波発生部は、金型ベースに触れ合うことのできる距離だけ下に降りながら超音波を発生させ、挿入された原糸を加圧しながら超音波を与えることができる。
【００３６】
原糸は、原糸挿入部を介して挿入され、金型ベースの陰刻パターンが位置した領域に対応して位置するように挿入されて固定され、原糸の幅は、陰刻パターンの幅よりも広くても良い。
【００３７】
固定されている金型ベースの陰刻パターンの上に原糸が位置すると、上述した超音波発生器が動作し、３次元糸が生成されることができる。
【００３８】
医療用３次元糸の本体部１００は、両端に余分部１２０を含み、第１の突起セット２１０と第２の突起セット２２０とを連結する中心部１１０により構成され、各突起は中心部向きに形成されている。
【００３９】
図１乃至図２に示された糸は、本発明の第１の実施例に係る医療用３次元糸に示された形状を有しているが、これは、製作時に使用される金型ベースなどの枠に応じて異なっていても良い。
【００４０】
以下、図３を参照しながら、本発明の実施例に係る医療用３次元糸について説明する。
【００４１】
医療用３次元糸において、本体部１００の長さ方向を横方向、幅方向を縦方向と定義すると、突起の横断面又は縦断面は長方形であり得る。
【００４２】
図３は、医療用３次元糸の縦断面であって、中央に本体部１００が形成され、延びて形成された突起部が形成されており、図面に示す例は、第１の突起セット２１０が位置した部分にの縦断面図である。
【００４３】
第１の突起セット２１０及び第２の突起セット２２０の頂部、即ち、先端部は、図３に示すように所定の厚さを有するように形成され、糸の端部が溶けても、引張力が弱くなったり、無くなることなく、持続的な効果を出すことができる。
【００４４】
図４は、本発明の第１の実施例に係る医療用３次元糸の規格を説明するための斜視図である。
【００４５】
図面に示すように、本体部１００の厚さａは、医療用３次元糸の中心軸となり、０．２ｍｍ乃至０．６ｍｍにて形成され、用途に応じて厚さが調整されて形成され得る。
【００４６】
本体部１００の両側面から拡張して形成される突起部は、本体部１００から突出した幅ｃが０．０５ｍｍ乃至０．５ｍｍであって、突出した突起が両側に対応して拡張され、用途に応じて対称をなしたり、ずれた形態で対をなすように形成され得る。
【００４７】
一方、本体部１００から拡張した突起は、所定の厚さを有するように形成され、最も厚い部分の厚さが０．２ｍｍ乃至０．６ｍｍであり、本体部の厚さに対応して形成され得る。
【００４８】
各突起において本体部１００の中心部１１０に向かう先端部、即ち、本体部１００が延びた方向への長さｂは１．０ｍｍ乃至１．４ｍｍであり、用途に応じて長さは異なるように形成され得る。
【００４９】
具体的に、本発明の３次元糸と従来技術の３次元糸とを比較すると、以下の通りである。本発明の３次元糸は、超音波によって非常に精密な製作が可能であるため、従来技術により製作された３次元糸に比べてより小さく精密なパターンに製造されることができる。
【００５０】
以下、図５を参照しながら、本発明の第１の実施例に係る医療用３次元糸について追加説明する。
【００５１】
図５は、本発明の第１の実施例に係る医療用３次元糸の第１の突起セット２１０であり、図面に示すように、突起部は所定の厚さを有するように形成され得る。
【００５２】
図面に示された医療用３次元糸の場合、第１の実施例に係る糸であって、本体部１００の厚さ、即ち、円形の本体部１００の直径と同じ厚さを有する突起が形成され、当該突起は、本体部１００から延び始まる部分と頂部との厚さが同一に形成され得る。
【００５３】
側面から見て突起部の一側面は長方形状に形成され、左右対称に形成され得る。
【００５４】
突起が本体部１００から延びて生成され、本発明の第１の実施例に係る突起は、図面に示すように三角形状に形成され、突起の最長辺と本体部１００とがなす内角は鋭角に形成され、突起の最短辺と本体部１００とがなす内角は鈍角に形成されて、突起が中心部１１０に向かうようにすることができる。
【００５５】
本発明の第１の実施例に係る医療用３次元糸において、第１の突起セット２１０と第２の突起セット２２０とは、形成される長さが異なっていても良い。
【００５６】
以下、図６乃至図９ｄを参照しながら、本発明の他の実施例について詳しく説明する。
【００５７】
図６は、本発明の追加の実施例に係る医療用３次元糸に関する斜視図である。
【００５８】
第１の実施例と同様に、本体部１００から拡張して形成された第１の突起セット２１０及び第２の突起セット２２０により構成され、第１の突起セット２１０の複数の突起のうち、本体部１００の一端と隣接した第１−１の突起部２１１の突起が、第１−１の突起部２１１の突起を除いた残りに該当する第１−２の突起部２１２と第２の突起セット２２０の突起よりも大きい幅を有するように形成され得る。
【００５９】
例えば、図６に示すように、３次元糸の全体において、一端に隣接した突起が残りの突起よりも大きく形成され、３次元糸を保管する容器に保管する際に、より容易に保管可能な形態に形成される。
【００６０】
保管容器の挿入口の幅に対応して形成され、入口に全体が入るのではなく第１−１の突起部２１１が露出していて、３次元糸の出入が容易であり、第１−１の突起部２１１は実際の施術時に挿入される部分ではないので溶けたり、形成されるとしても問題なく使用できるように形成され得る。
【００６１】
また、第１−１の突起部２１１の突起の厚さは、第１−２の突起部２１２の突起の厚さよりも小さく形成されても良く、第１−２の突起部２１２の他端、即ち、第２の突起部２２０と連結される端には突起のない本体部が形成されて、第１の実施例の３次元糸における中心部１１０のような役割をするように形成され得る。
【００６２】
第１−２の突起部２１２と最も遠く離隔した第１−１の突起部２１１の他端には、突起のない本体部が形成されない形態で構成され得る。
【００６３】
図７は、本発明の追加の実施例に係る医療用３次元糸に関する斜視図である。
【００６４】
一方向に形成された第１の突起部により構成された第１の突起セット２１０と、第１の突起部とは逆方向に形成され、第１の突起セット２１０と離隔した第２の突起部により構成された第２の突起セット２２０と、から形成され得る。
【００６５】
医療用３次元糸の一端は第１の突起セット２１０により構成され、他端は第２の突起セット２２０及び突起のない本体部１００により構成され、突起のない本体部が最も最後に配置され得る。
【００６６】
第１の突起セット２１０を構成する第１の突起のうち第２の突起部と最も離隔した位置に配置される突起の方向は、残りの第１の突起の方向とは逆方向に形成され、第２の突起セット２２０を構成する第２の突起のうち第１の突起と最も離隔した位置に配置される突起の方向は、残りの第２の突起の方向とは逆方向に形成され得る。
【００６７】
即ち、第１の突起セット２１０において、第１−１の突起部２１１は、中心部１１０に向かう第１−２の突起部２１２とは逆方向に突起が形成され、第２−１の突起部２２１は、中心部１１０に向かう第２−２の突起部２２２とは逆方向に突起が形成され得る。
【００６８】
但し、図７に示すように、それぞれの突起セットと最も離隔した位置に形成され、一対以上の突起が各突起セットにおいて残りの突起と逆方向に形成され得る。
【００６９】
また、第１の突起セット２１０の一端に突起のない本体部１００が追加形成され得る（未図示）。
【００７０】
図８は、本発明の追加の実施例に係る医療用３次元糸に関する斜視図である。
【００７１】
本発明の追加の実施例に係る医療用３次元糸は、第１の実施例における医療用３次元糸と同じ構成を有し、第１の突起セット２１０及び第２の突起セット２２０のそれぞれは、最も長い斜辺が互いに対向する方向に形成され得る。
【００７２】
即ち、第１の実施例の医療用３次元糸は、第１の突起セット２１０及び第２の突起セット２２０の突起が中心部１１０に向かうように形成され、対向しないように形成されるが、追加の実施例に係る医療用３次元糸は、それぞれの突起が中心部１１０の逆方向に向かうように形成され、突起の最長辺が互いに対向する形態に構成されて形成され得る。
【００７３】
また、中心部１１０が第１の実施例における医療用３次元糸よりも短い長さに形成され、両端に余分部１２０を含まないこともあり得る。
【００７４】
図９ａ乃至図９ｄは、本発明の追加の実施例に係る医療用３次元糸に関する斜視図である。
【００７５】
本発明の追加の実施例に係る医療用３次元糸は、本体部１００と突起部の縦断面が半円形に形成され得る。
【００７６】
即ち、図９に示すように、本体部１００が拡張して両側面に突起を形成し、突起が形成されていない他の側面のうち、一側面は扁平な形態に形成され、扁平な形態の一側面に対応する他側面は盛り上がって屈曲した形態に形成され得る。
【００７７】
複数の突起は互いに異なる幅を有するように構成され、突起部の幅方向縦断面が半円形に形成され、本体部に隣接した部分の厚さが最も厚く形成され、本体部から離隔するほど薄い厚さを有するように形成され得る。
【００７８】
突起の最も長い斜辺部分は屈曲した形状に構成され、突起の頂部が突起の形成方向に曲げられた形状を有するように形成され得る。
【００７９】
即ち、本体部から延びて生成された突起の頂部が向かう方向へ少し曲げられた形態に形成されて、引張力が高くなることができる。
【００８０】
また、肌内に挿入された際に突起の頂部が溶けたり損傷しても、頂部から本体部の方向へ行くほど厚さが厚くなる構造により、引張力の損失を低減することができる。
【００８１】
本発明の追加の実施例に係る医療用３次元糸は、突起部と本体部との厚さが異なるように形成され得る。従来の場合、幅と長さが異なるサイズを有するように形成される程度に製作されていたが、本発明の追加の実施例に係る医療用３次元糸は、幅、長さ及び厚さが異なるサイズを有するように形成され得る。追加の実施例に係る医療用３次元糸は、第１の実施例における医療用３次元糸と同じ構造を有し、本体部１００から拡張した突起は本体部１００に近接するほど厚さが厚い形状に形成され得る。
【００８２】
以下、本発明の実施例に係る医療用３次元糸の実際の大きさについて説明する。本発明の各実施例に係る医療用３次元糸は、１ｃｍ単位当たりの突起が６個乃至１０個に形成され得る。
【００８３】
本発明の実施例に係る医療用３次元糸は、１ｃｍ当たりに８個の突起が形成されており、これは、従来の医療用３次元糸に比べて１ｃｍ当たりにより多い数の突起を形成しているもので、より多くの突起により３次元糸の引張力が高くなることができる。
【００８４】
図１０乃至図１４は、本発明の実施例に係る医療用３次元糸を用途に応じて形状を変えた３次元糸に関する例示図である。
【００８５】
図面に示すように、超音波を用いた医療用３次元糸の製作において、上述した実施例は説明のための形状に過ぎず、様々な形態への製作が可能であるため、上述した実施例に限定されるものではない。
【００８６】
以下では、本発明の第２の実施例に係る、超音波により製作された医療用３次元糸について具体的に説明する。
【００８７】
図１６は、本発明の一実施例に係るトレンチ状の医療用糸を示すものであり、図１６の３００は、本発明の一実施例に係る医療用糸１０の側面を示すものであり、図１６の４００は、本発明の一実施例に係る医療用糸１０の平面を示すものであり、図１６の５００は、本発明の一実施例に係る医療用糸１０の正面を示すものである。
【００８８】
図１６を参照すると、本発明の一実施例に係るトレンチ状の医療用糸１０は、長手方向に下面の真ん中が窪んで形成されたトレンチＴを備えるボディ部３２０と、ボディ部３２０の両側に突出して形成された複数の突起部１２５と、を含む。
【００８９】
従って、本発明の医療用糸１０は、肌の内層に挿入される場合、ボディ部３２０のトレンチＴにより肌組織と接触する面積が広いため、初期施術された肌位置から離脱したり、他の所に移動することが防止され、肌組織への固定力が高くなるという効果がある。
【００９０】
以下では、図１９及び図２０に示された従来の医療用糸に比べて、肌組織から離脱することを効果的に防止するトレンチ構造と複数の突起状で構成された本発明の医療用糸について詳しく説明することとする。
【００９１】
図１８は、本発明の一実施例に係るトレンチ状の医療用糸のボディ部と突起部を説明するための拡大図である。
【００９２】
本発明の医療用糸１０は、ポリ乳酸（Ｐｏｌｙｌａｃｔｉｃ  ａｃｉｄ）、ポリジオキサノン（Ｐｏｌｙｄｉｏｘａｎｏｎｅ）、乳酸（Ｌａｃｔｉｃ  ａｃｉｄ）、グリコール酸（Ｇｌｙｃｏｌｉｃ  ａｃｉｄ）のコポリマー（Ｃｏ−ｐｏｌｙｍｅｒ）などのような生分解性ポリマー（高分子材料）材質からなっても良い。
【００９３】
好ましくは、長手方向と垂直な方向に切断したボディ部３２０の横断面はコ字状に形成され得るが、これに限定されるものではない。一例として、ボディ部３２０の横断面は、Ｃ字状に形成され得る。
【００９４】
図１８を参照すると、複数の突起部１２５は、ボディ部３２０の上面Ｓに対して所定角度傾斜するように形成され得る。このとき、それぞれの突起部１２５は、先端が尖った楔状に形成され得る。例えば、図１８に示すように、複数の突起部１２５が上面Ｓに対して鈍角ａ２で傾斜するように形成された場合、各突起部１２５は、先端が尖った楔状がボディ部３２０の前方に偏るように形成され、前方に位置した楔部分が肌に対する固定力を維持するため、肌を前方に引張る役割をする。同様に、複数の突起部１２５が上面Ｓに対して鋭角ａ１で傾斜するように形成された場合、各突起部１２５は、先端が尖った楔状がボディ部３２０の後方（図１８の右側）に偏るように形成され（未図示）、後方に位置した楔部分が肌への固定力を維持するため、肌を後方に引張る役割をすることができる。
【００９５】
また、ボディ部３２０の一端部が複数の突起部１２５のうち最外殻に位置した突起部１２５から延びるように形成され得る。具体的に、ボディ部３２０の長手方向の一端部が下側に傾斜するように形成され、最外殻に位置した突起部１２５から延びるように形成され得る。即ち、図１８のように、ボディ部３２０の最端部は、最外殻の突起部の形状がそのまま延びた形状に形成されることによって、ボディ部３２０の最端部は特定の傾斜を有する形状に形成され得る。ボディ部３２０の一端部も複数の突起部１２５と同じ方向に傾斜し、医療用糸１０が一方向へ引張る力を補完することができる。
【００９６】
複数の突起部１２５は、ボディ部３２０のトレンチＴを挟んで互いに対応する位置に配置されるよう、ボディ部３２０の両側にそれぞれ備えられ得る。例えば、突起部１２５は、ボディ部３２０のトレンチＴの両側の壁面の下部へ突出して形成され、対向する位置に形成された各突起部１２５が互いに対応する位置に形成される。
【００９７】
ここで、トレンチＴの底地点は、複数の突起部１２５の形成開始地点よりも低くても良い。これにより、トレンチＴの底地点と複数の突起部１２５の形成開始地点とが同一な場合よりも、トレンチＴの底地点の深さがより深くなる効果をもたらすので、これは、ボディ部３２０が肌に突き立たれる深さがより深くなり、糸の固定力を向上させることができる。さらに、トレンチＴ部分には、フィラーが引き込まれることのできる空間が形成されることもあり得る。
【００９８】
また、複数の突起部１２５は、ボディ部３２０の長手方向に沿って連続的に離隔形成され得る。例えば、それぞれの突起部１２５は、ボディ部３２０の長手方向に沿って所定の間隔６００をおいて離隔するように形成される。このとき、突起部１２５の間に形成される離隔間隔６００を介してそれぞれの突起部１２５が肌に独立して突き立たれ、肌に対する医療用糸１０の固定力が高くなることができる。
【００９９】
本発明の一実施例に係る医療用糸１０は、超音波加工により製作され得る。かかる超音波加工は、従来の金型又はカットでは加工することのできない精密な加工が可能であり、本発明のトレンチ状の医療用糸１０のように立体的な加工が可能であるという長所がある。例えば、図１９及び図２０に示された医療用糸の場合、原糸を押圧して圧縮した後、金型にプレスすることで生産するか、原糸をカットして突起を生成するため、本発明のような精巧な３次元トレンチ構造を製作することはできない。
【０１００】
前記超音波加工は、超音波振動をエネルギー源にし、振動する工具と工作物との間に研削粒子を供給して工作物を精密に整える既存の知られている加工技術であり、詳しい説明は省略することとする。一方、本発明の立体形状の糸を製作するためには、既存の超音波加工をそのまま用いるのではなく、特定の立体的な陰刻又は陽刻パターンを有する金型に原糸を入れ、超音波を走査してプレスする工程が行われることができる。
【０１０１】
一方、図１５を参照しながら、本発明の引掛り部材３１０の役割について詳しく説明することとする。図１５は、従来の医療用糸が通されたニードルを示す図である。
【０１０２】
一般的に、医療用糸をリフティング施術に使用するには、医療用糸を注射器ニードルの針管に通す過程が必要である。
【０１０３】
図１５を参照すると、従来の場合、医療用糸１１、１２を注射器ニードルに挿入し、挿入された医療用糸１１、１２を注射器ニードルの外側に垂らした後、注射器ニードルにリング部材を介して固定する。即ち、医療用糸１１、１２を注射器ニードルの針管にいちいち通した後、リング部材を介して医療用糸１１、１２をニードルに固定する作業までさらに行わなければならないため、作業時間が多く所要されるという問題がある。
【０１０４】
再び図１６を参照すると、本発明の医療用糸１０は、ボディ部３２０の一端に備えられ、ボディ部３２０の平面に対してボディ部３２０の幅よりも広い幅を有するように形成された引掛り部材３１０を含む。このとき、引掛り部材３１０は薄板状に形成され得るが、これに限定されるものではない。
【０１０５】
即ち、本発明の医療用糸１０をニードルの針管に挿入する場合、ボディ部３２０の一端に形成された引掛り部材３１０がニードルの先端部に引っ掛る役割をするため、別途のリング部材を介して医療用糸１０をニードルに固定する作業を省略することができる。これにより、医療用糸を注射器ニードルの針管に通す過程に所要される時間を短縮することができる。
【０１０６】
以下では、本発明の第３の実施例に係る、超音波により製作された医療用３次元糸について具体的に説明する。
【０１０７】
図面符号３１０の引掛り部材は、以下、本発明の第３の実施例に係る、超音波により製作された医療用３次元糸の説明において「ヘッド部」と称する。
【０１０８】
図１６は、本発明の第３の実施例に係るヘッド部を備えた医療用糸を示すものであり、図１６の３００は、本発明の第３の実施例に係る医療用糸１０の側面を示すものであり、図１６の４００は、本発明の第３の実施例に係る医療用糸１０の平面を示すものであり、図１６の５００は、本発明の第３の実施例に係る医療用糸１０の正面を示すものである。
【０１０９】
図１７は、本発明の他の実施例に係るヘッド部を備えた医療用糸の平面図を示すものであり、図２１乃至図２３は、本発明の第３の実施例に係るヘッド部の様々な形状を説明するための部分拡大図である。
【０１１０】
図１６及び図１７を参照すると、本発明の医療用糸１０は、一方向に延びたボディ部３２０と、ボディ部３２０の一端に備えられ、ボディ部３２０の幅よりも広い幅を有するように形成されたヘッド部３１０と、ボディ部３２０の少なくとも１つの面から突出して形成された複数の突起部１２５と、を含む。
【０１１１】
図１５乃至図１７を参照すると、ヘッド部３１０の幅は、医療用糸１０を挿入して保管するためのニードルの孔の大きさよりも広く形成され得る。これにより、本発明の医療用糸１０は、ボディ部３２０からニードルの内部に挿入された後、ヘッド部３１０がニードルの外部で折り曲げられるように構成されることによって、医療用糸１０がニードルに固定されることができる。
【０１１２】
即ち、本発明の医療用糸１０は、ニードルの孔の大きさよりも広い幅で形成されたヘッド部３１０がニードルの先端部に引っ掛ったままニードルの下端部側に折り曲げられ、ニードルの外部で固定されることができる。従って、別途のリング部材を介して医療用糸をニードルに固定する作業を省略することができる。また、医療用糸を注射器ニードルの針管に通す過程に所要される時間を短縮することができる。
【０１１３】
本発明の医療用糸１０は、ヘッド部３１０と、ボディ部３２０と、複数の突起部１２５と、を含む。例えば、複数の突起部１２５は、一方向に延びて形成されたボディ部３２０の少なくとも１つの面から突出して形成される。かかる複数の突起部１２５は、人体の肌内に医療用糸１０が挿入される施術が完了した後、医療用糸１０が肌内で流動することを防止する役割をする。ボディ部３２０及び突起部１２５の形状に関する詳細な説明は後述する。
【０１１４】
図１７を参照すると、例えば、ヘッド部３１０は、頂点が任意の曲率を有する丸い形状に形成された四角形状に形成される。これにより、頂点が直角の四角形状のヘッド部３１０をニードルの外部で折り曲げる時よりも安全に作業をすることができる。
【０１１５】
また、ボディ部３２０は立体形状に形成され、ヘッド部３１０は薄板状に形成され得る。さらに詳しくは、ヘッド部３１０の厚さはボディ部３２０の厚さと異なるように形成され、ヘッド部３１０はボディ部３２０の厚さよりも薄い厚さに形成され得る。
【０１１６】
また、ヘッド部３１０は、ボディ部３２０よりも短い長さに形成されても良く、好ましくは、ヘッド部３１０は５ｍｍに形成され、ボディ部３２０の長さは２２ｍｍ乃至４０ｍｍに形成され得る。但し、これは一例であるだけであり、他の長さにも形成され得る。
【０１１７】
例えば、図２１乃至図２３を参照すると、ヘッド部３１０は、円形、楕円形、四角形、三角形など様々な形態に形成される。具体的に、図２１に示すように、ヘッド部３１０は円形に形成され得るが、これに限定されるものではなく、楕円形などに形成されても良い。また、図２２に示すように、ヘッド部３１０は正方形に形成され得るが、これに限定されるものではなく、長方形又は台形に形成されても良い。さらに、図２３に示すように、三角形状に形成され得る。
【０１１８】
本発明の第３の実施例に係る医療用糸のヘッド部は、原糸を超音波加工することで形成することができる。さらに具体的には、薄板状の陰刻が刻まれた金型ベースと超音波発生部との間に原糸を挿入し、超音波加工することによって、原糸の一端部が薄板状に押された形状になるようにすることができる。このように薄板状に押された原糸の一端部は、医療用糸のヘッド部３１０として、ボディ部３２０と断面積は実質的に同一であるものの、その断面の幅はニードル内に入らないように長く形成される。即ち、ヘッド部は、原糸の一端部を超音波加工することによって形成されるものであり、その断面（ボディ部の長手方向に対して垂直に切った面）の幅はニードルのカット部を覆うことができる程に長く、その厚さは肌内に挿入された際に組織に異物感を与えないように薄く形成される。原糸の一端部を超音波加工してヘッド部３１０を形成するので、原糸の材料の変成がなく、ヘッド部３１０の強度、柔軟性など材料の特性がボディ部３２０と類似するように維持される。従って、生体組織への吸収度や支持力を適切に維持すると同時に組み立てが便利であり、ニードルのカット部から組織を保護することができる。医療用糸１０は、ボディ部３２０からニードルの内部に挿入された後、ヘッド部３１０がニードルの外部で折り曲げられるが、このとき、ニードル先端のカット部を覆うように構成することもできる。このような構成により、医療用糸１０がニードルに固定されると同時にニードルの組織内への挿入時にカット部から組織を保護する働きもすることになる。
【０１１９】
一方、以下では、図１６乃至図２０を参照しながら、本発明のヘッド部を備えた医療用糸の様々なボディ部と突起部の形状について説明することとする。
【０１２０】
図１８は、図１６に示されたヘッド部を備えた医療用糸のボディ部と突起部を説明するための拡大図であり、図１９は、従来の金型により製造された医療用糸を示す図であり、図２０は、従来のカットにより製造された医療用糸を示す図である。
【０１２１】
一般的に医療用糸に突起を形成する方式としては、刃を使用して手作業で突起を形成する方式、刃が備えられた機械を使用して突起を形成する機械的方式、及び医療用糸を圧搾して突起を形成する方式などがある。
【０１２２】
先ず、図１９に示すように、金型を用いた圧搾方式の場合、医療用糸１１の原材料を設定された温度条件で加熱し、加熱された医療用糸１１の原材料を圧搾することで表面に刺状突起を形成することができる。かかる圧搾方式は、医療用糸の形状が変化することになるので、ニードルに挿入し難くなる点、それに伴って直径が大きいニードルを使用しなければならない点、薄板状ボディにより肌組織と接触する面積が小さいという点などの問題がある。
【０１２３】
図２０に示すように、カットによる方式の場合、医療用糸１２の表面を削って突起を形成するので、突起の大きさ及び厚さが制限的である点、突起の先端が鋭過ぎて周囲の組織及び神経を刺激し得る点、カットによる医療用糸１２の損傷により強度が急激に減少する点、比較的薄い突起の生体への吸収が体内で速やかになされ、肌組織に対する固定力を失いやすい点などの問題がある。
【０１２４】
上述した問題を解決するために、本発明のヘッド部３１０を備えた医療用糸１０は、超音波加工を通じて立体的な構造に形成され得る。
【０１２５】
図１６に示すように、一例として、本発明の医療用糸１０は、長手方向に下面の真ん中が窪んで形成されたトレンチＴを備えるボディ部３２０と、トレンチＴの両側に突出して形成された複数の突起部１２５と、を含むように形成される。図１７に示すように、他の例として、本発明の医療用糸１０は、一方向に延びたボディ部３２０と、ボディ部３２０の長手方向に互いに対応する位置に形成された複数の突起部１２５と、を含むように形成される。
【０１２６】
先ず図１７を参照すると、本発明の医療用糸１０は、一方向に延びたボディ部３２０と、ボディ部３２０の長手方向に互いに対応する位置に形成された複数の突起部１２５と、ボディ部３２０の一端に備えられ、ボディ部３２０の平面に対してボディ部３２０の幅よりも広い幅を有するように形成されたヘッド部３１０と、を含む。
【０１２７】
図１６及び図１８を参照すると、本発明の第３の実施例に係る医療用糸１０は、長手方向に対して下面の真ん中が上部側に窪んだトレンチＴを備えるボディ部３２０と、ボディ部３２０の両側下部に突出して形成された複数の突起部１２５と、ボディ部３２０の一端に備えられ、ボディ部３２０の平面に対してボディ部３２０の幅よりも広い幅を有するように形成されたヘッド部３１０と、を含む。好ましくは、ボディ部３２０の横断面はコ字状に形成され得るが、これに限定されるものではない。一例として、ボディ部３２０の横断面は、Ｃ字状に形成されるか、下部面の真ん中が窪んだ形態に形成され得る。
【０１２８】
例えば、医療用糸１０は、ポリ乳酸（Ｐｏｌｙｌａｃｔｉｃ  ａｃｉｄ）、ポリジオキサノン（Ｐｏｌｙｄｉｏｘａｎｏｎｅ）、乳酸（Ｌａｃｔｉｃ  ａｃｉｄ）、グリコール酸（Ｇｌｙｃｏｌｉｃ  ａｃｉｄ）のコポリマー（Ｃｏ−ｐｏｌｙｍｅｒ）などのような生分解性ポリマー（高分子材料）材質からなる。
【０１２９】
図１７及び図１８を参照すると、一例として、複数の突起部１２５は、所定間隔で互いに対称するように形成され、ボディ部３２０の長辺の半分の長さを基準に互いに対向する矢印状に形成される。他の例として、複数の突起部１２５は、ボディ部３２０の外側面に対して所定角度傾斜するように形成される。このとき、突起部１２５は、先端が尖った楔状に形成され得る。即ち、所定角度傾斜するように形成された複数の突起部１２５が肌を一方向へ引張る役割をするので、リフティング効果を向上させることができる。
【０１３０】
また、ボディ部３２０の一端部が複数の突起部１２５のうち最外殻に位置した突起部１２５から延びるように形成される。具体的に、ボディ部３２０の一端部が下側に傾斜するように形成され、最外殻に位置した突起部１２５から延びるように形成される。即ち、図１８のように、ボディ部３２０の最端部は、最外殻の突起部の形状がそのまま延びた形状に形成されることによって、ボディ部３２０の最端部は特定の傾斜を有する形状に形成され得る。ボディ部３２０の一端部も複数の突起部１２５と同じ方向に傾斜し、医療用糸１０が一方向へ引張る力を補完することができる。
【０１３１】
複数の突起部１２５は、ボディ部３２０のトレンチＴを挟んで互いに対応する位置に配置されるよう、ボディ部３２０の両側下部にそれぞれ備えられ得る。例えば、突起部１２５は、ボディ部３２０のトレンチＴの両側の壁面の下部へ突出して形成され、対向する位置に形成された各突起部１２５が互いに対応する位置に形成される。ここで、トレンチＴの底地点は、複数の突起部１２５の形成開始地点よりも低くても良い。これにより、トレンチＴの底地点と複数の突起部１２５の形成開始地点とが同一な場合よりも、トレンチＴの底地点の深さがより深くなる効果をもたらすので、これは、ボディ部３２０が肌に突き立たれる深さがより深くなり、糸の固定力を向上させることができる。
【０１３２】
また、複数の突起部１２５は、ボディ部３２０の長手方向に沿って連続的に離隔形成され得る。例えば、それぞれの突起部１２５は、ボディ部３２０の長手方向に沿って所定の間隔６００をおいて離隔するように形成される。このとき、突起部１２５の間に形成される離隔間隔６００を介してそれぞれの突起部１２５が肌に独立して突き立たれ、肌に対する医療用糸１０の固定力が高くなることができる。
【０１３３】
従って、本発明の医療用糸１０は、肌の内層に挿入される場合、ボディ部３２０のトレンチＴと突起部１２５により肌組織と接触する面積が広いため、初期施術された肌位置から離脱したり、他の所に移動することが防止され、肌組織への固定力が高くなるという効果がある。
【０１３４】
本発明のような３次元形状の糸は、超音波加工を通じてのみ製作が可能である。従来技術の場合、原糸を押圧して圧縮した後、金型にプレスすることで生産するか、原糸をカットして突起を生成するため、本発明のような精巧な３次元構造を製作することはできない。前記超音波加工は、超音波振動をエネルギー源にし、振動する工具と工作物との間に研削粒子を供給して工作物を精密に整える既存の知られている加工技術であり、詳しい説明は省略することとする。
【０１３５】
一方、本発明の立体形状の糸を製作するためには、既存の超音波加工をそのまま用いるのではなく、特定の立体的な陰刻又は陽刻パターンを有する金型に原糸を入れ、超音波を走査してプレスする工程が行われ得る。これにより、従来の金型又はカットでは加工することのできない精密な加工が可能であり、トレンチ状の医療用糸１０のような３次元形状を精巧に加工することができるという長所がある。
【０１３６】
具体的に、本発明の製作方法により製作された３次元糸と従来技術の３次元糸とを比較すると、以下の通りである。本発明の３次元糸は、超音波を通じて非常に精密な製作が可能となるので、従来技術により製作された３次元糸に比べてより小さく且つ精密なパターンに製造されることができる。
【０１３７】
上述した本発明の説明は例示のためのものであり、本発明の属する技術分野において通常の知識を有する者であれば、本発明の技術的思想や必須の特徴を変更せずに他の具体的な形態に容易に変形可能であるということを理解できるはずである。それゆえ、上記した実施例は全ての面において例示的なものであり、限定的なものではないと理解すべきである。例えば、単一型で説明されている各構成要素は分散して実施されることもでき、同様に、分散したものと説明されている構成要素も結合された形態で実施されることができる。
【０１３８】
本発明の範囲は、上記詳細な説明よりは後述する特許請求の範囲によって示され、特許請求の範囲の意味及び範囲、並びにその均等概念から導出される全ての変更又は変形された形態が本発明の範囲に含まれることと解釈されなければならない。
【符号の説明】
【０１３９】
１０：医療用糸
１１、１２：従来の医療用糸
１００：本体部
１１０：中心部
１２０：余分部
１２５：突起部
２１０：第１の突起セット
２１１：第１−１の突起部
２１２：第１−２の突起部
２２０：第２の突起セット
２２１：第２−１の突起部
２２２：第２−２の突起部
３１０：引掛り部材（ヘッド部）
３２０：ボディ部
ａ：本体部の厚さ
ｂ：突出した幅
ｃ：突起の最も長い辺の長さ
【図１】
0006887528.tif 000002
【図２】
0006887528.tif 000003
【図３】
0006887528.tif 000004
【図４】
0006887528.tif 000005
【図５】
0006887528.tif 000006
【図６】
0006887528.tif 000007
【図７】
0006887528.tif 000008
【図８】
0006887528.tif 000009
【図９ａ】
0006887528.tif 000010
【図９ｂ】
0006887528.tif 000011
【図９ｃ】
0006887528.tif 000012
【図９ｄ】
0006887528.tif 000013
【図１０】
0006887528.tif 000014
【図１１】
0006887528.tif 000015
【図１２】
0006887528.tif 000016
【図１３】
0006887528.tif 000017
【図１４】
0006887528.tif 000018
【図１５】
0006887528.tif 000019
【図１６】
0006887528.tif 000020
【図１７】
0006887528.tif 000021
【図１８】
0006887528.tif 000022
【図１９】
0006887528.tif 000023
【図２０】
0006887528.tif 000024
【図２１】
0006887528.tif 000025
【図２２】
0006887528.tif 000026
【図２３】
0006887528.tif 000027